(57)【特許請求の範囲】
【請求項１】
自然環境下で水流が継続的に供給される地点の周囲地盤に当該地点の想定最高水位より高くなり且つ当該地点の想定最低水位より低い部分又は地盤高さの部分に通水口を有するように通水性の外郭を構築し，前記外郭の内側底部に当該地点の想定最低水位より低い窪地又は地盤高さより低い窪地を有し且つ前記通水口から供給される水流条件を調整するように通水性の底部構造体を設け，前記底部構造体上に乾燥ミズゴケ又はその他の植物遺体を少なくとも一部分に当該地点の想定最高水位より高い部位が形成されるように積み上げて生育基盤とし，前記生育基盤の表面上に生きたミズゴケを植え込むことによりミズゴケ湿原を再生してなるミズゴケ湿原再生方法。
【請求項２】
請求項１の再生方法において，前記外郭及び底部構造体を，石積み構造，コンクリート構造，木組み構造，樹脂構造，金属構造，又はこれらの組み合わせ構造としてなるミズゴケ湿原再生方法。
【請求項３】
自然環境下で水流が継続的に供給される地点の周囲地盤に当該地点の想定最高水位より高くなり且つ当該地点の想定最低水位より低い部分又は地盤高さの部分に通水口を有するように構築した通水性の外郭，前記外郭の内側底部に当該地点の想定最低水位より低い窪地又は地盤高さより低い窪地を有し且つ前記通水口から供給される水流条件を調整するように設けた通水性の底部構造体，及び前記底部構造体上に乾燥ミズゴケ又はその他の植物遺体を少なくとも一部分に当該地点の想定最高水位より高い部位が形成されるように積み上げた生育基盤を備え，前記生育基盤の表面上に生きたミズゴケを植え込むことによりミズゴケ湿原を再生してなるミズゴケ湿原再生基盤。
【請求項４】
請求項３の再生基盤において，前記外郭及び底部構造体を，石積み構造，コンクリート構造，木組み構造，樹脂構造，金属構造，又はこれらの組み合わせ構造としてなるとしてなるミズゴケ湿原再生基盤。
【請求項５】
請求項３又は４の再生基盤において，前記外郭の下端を地盤中に埋設してなるミズゴケ湿原再生基盤。
【請求項６】
請求項３から５の何れかの再生基盤において，前記外郭を前記地点の想定最高水位より高い周囲壁とその内側底壁とからなる容器構造とし，前記底部構造体を容器底壁上に設けるか又は容器底壁と一体成形してなるミズゴケ湿原再生基盤。
【請求項７】
請求項３から６の何れかの再生基盤において，前記外郭の内側地盤と底部構造体との間に遮水層を設けてなるミズゴケ湿原再生基盤。
【請求項８】
請求項３から７の何れかの再生基盤において，前記生育基盤を，前記底部構造体上に前記植物遺体を前記地点の想定最低水位より低い部位と当該地点の想定最高水位より高い部位とが形成されるように積み上げた傾斜表面付き生育基盤としてなるミズゴケ湿原再生基盤。
【発明の詳細な説明】
【技術分野】
【０００１】
本発明はミズゴケ湿原再生方法及び再生基盤に関し，とくに野外の自然環境下でミズゴケ湿原を再生する方法及び再生するための基盤に関する。
【背景技術】
【０００２】
湿地は一般に富栄養の低層湿地と貧栄養の高層湿原とに区分けされ，低層湿原は主要な構成植物がヨシ類であるのに対し，高層湿原は主要な構成植物がミズゴケ類であることからミズゴケ湿原と呼ばれる（非特許文献１参照）。ミズゴケ湿原は，近年になって準絶滅危惧種であるオオミズゴケ等の希少な動植物の生息・生育が認識され，特有の生態系が様々な機能を有することも注目されている。しかし，従来の開発等によってミズゴケ湿原は徐々に減少しており，とくに日本の中部地方以南の地域では減少が著しく，現存しているミズゴケ湿原も今後の開発や植生遷移等によって失われる可能性がある。このため，例えばダム等の開発工事においてミズゴケ湿原の保護・保全が重要な課題となる場合があり，その場所で保全することができない場合は代替場所にミズゴケ湿原を移植・再生することが必要となる。
【０００３】
従来から，例えば図７に示すように，休耕田その他の圃場４０を利用してミズゴケを保全・再生する方法が提案されている（特許文献１及び２参照）。図７（Ａ）の圃場４０は，遮水工が施された底部４１ａ及び周囲側部４１ｂで囲まれた帯水部４１と，その帯水部４１に通水口４１ｃを介して連通する有水部４２とで構成されており，有水部４２に貯留する水Ｗの量を水位センサー等で調整することにより，通水口４１ｃを介して帯水部４１内に配置した帯水材（例えば砂礫等）４３を常に所定水位ＷＬ（図７（Ｂ）参照）に湿潤させることができる。帯水材４３の表面４３ａには多数の穴４３ｂを設け，その穴４３ｂの各々に図７（Ｂ）に示すようなミズゴケ栽培基を埋め込む。
【０００４】
図７（Ｂ）のミズゴケ栽培基は，帯水材４３の穴４３ｂの内部に充填する乾燥ミズゴケＡの集合物を有し，その乾燥ミズゴケＡの集合物上に生きたミズゴケ（生長ミズゴケ）Ｐを植え込んだものである。乾燥ミズゴケＡは，非常に優れた揚水力によって帯水材４３の所定水位ＷＬ（及び有水部４２）から水Ｗを吸い上げ，吸い上げた水Ｗを植え込んだ生長ミズゴケＰのパイプのような茎部と接触させることにより，生長ミズゴケの生長点を含む部分（主に葉部と枝部）を効率的に成長させる。従って，図７（Ａ）の帯水部４１上の多数の穴４３ｂでそれぞれミズゴケＰを成長させ，帯水部４１の全体をミズゴケが繁茂する湿原に転換することができる。
【０００５】
図７のようなミズゴケの保全・再生方法によれば，例えば開発工事においてミズゴケ湿原が消滅するおそれがある場合に，図７（Ａ）のような圃場４０を代替場所に設けてミズゴケ湿原を移植・再生することが期待できる。また，ミズゴケだけでなく，ミズゴケ湿原を構成する他の特有の植物（モウセンゴケ等）の養生を行うことも期待でき，ミズゴケと共に他の植物を移植・再生することも期待できる。更に，図７（Ｂ）のようなミズゴケ栽培基を例えば浮輪状の発泡スチロール製枠体に嵌め込み，図７（Ａ）の帯水部４１を除いた有水部４２に浮かべることにより，帯水部４１に代えて又は加えて，有水部位４２の水面をミズゴケの浮遊圃場とすることも提案されている。
【先行技術文献】
【特許文献】
【０００６】
【特許文献１】特許第４７８０５６０号号公報
【特許文献２】特開２００５−３０４４７２号公報
【非特許文献】
【０００７】
【非特許文献１】高田雅之「湿地の博物学」北海道大学出版会，２０１４年１２月１０日発行
【発明の概要】
【発明が解決しようとする課題】
【０００８】
しかし，上述した図７の従来方法は，有水部４２の水位等の人為的な維持管理を必要とするものであり，水位その他の条件を人為的に管理できない自然環境下で適用することは難しい問題点がある。例えば多量の降雨により図７の有水部４２の水位が著しく上がると，側部４１ｂを越えて帯水部４１に水が流れ込み，植え込んだ生長ミズゴケＰが水没し又は流水により流される可能性がある。また，流水とともに土砂が流れ込むとミズゴケＰを死滅させ，或いは死滅しないまでも富栄養化や地下水流の変化を引き起こしてミズゴケ以外の植生種への遷移が進行する可能性がある。すなわち従来方法は，ミズゴケ湿原の一時的な再生は可能であるとしても，再生したミズゴケ湿原を人手によらず自然条件下で長期間維持することは困難である。
【０００９】
また，自然環境下でミズゴケ湿原を形成するためには流水が継続的に供給される河川，池沼，湧水地等の立地を利用せざるを得ないが，図７の従来方法は，様々な立地の自然流水を利用することが難しい問題点もある。例えば，ミズゴケ湿原中の水流（地下水流）はゆっくり流れるのに対し，地表の河川等の水流は相対的に速いので，例えば河川等の速い水流を帯水部４１に導入してもミズゴケ湿原を再生できない可能性がある。また，増水等によって河川等の流速が大きくなると，帯水部４１の帯水材４３が徐々に浸食され，ミズゴケ湿地の基盤自体が破壊されてしまう可能性もある。自然環境下でミズゴケ湿原を再生するためには，自然環境下で利用できる水流からミズゴケの生育条件を作り出し，その生育条件を上述したように長期間維持することが重要である。
【００１０】
そこで本発明の目的は，自然環境下でミズゴケの生育に適した条件を作り出して維持できるミズゴケ湿原再生方法及び再生基盤を提供することにある。
【課題を解決するための手段】
【００１１】
図１の実施例を参照するに，本発明によるミズゴケ湿原再生方法は，自然環境下で水流が継続的に供給される地点Ｇの周囲地盤Ｅにその地点Ｇの想定最高水位ＨＷＬより高くなり且つ当該地点Ｇの想定最低水位ＬＷＬより低い部分又は地盤高さＥの部分に通水口１８を有するように通水性の外郭１０を構築し，外郭１０の内側底部にその地点Ｇの想定最低水位ＬＷＬより低い窪地又は地盤高さＥより低い窪地２２を有し且つ通水口１８から供給される水流条件を調整するように通水性の底部構造体２０を設け，底部構造体２０上に乾燥ミズゴケ又はその他の植物遺体Ｂを少なくとも一部分にその地点Ｇの想定最高水位ＨＷＬより高い部位３１が形成されるように積み上げて生育基盤３０とし，生育基盤３０の表面上に生きたミズゴケＰを植え込むことによりミズゴケ湿原を再生してなるものである。
【００１２】
図１の実施例を参照するに，本発明によるミズゴケ湿原再生基盤は，自然環境下で水流が継続的に供給される地点Ｇの周囲地盤Ｅにその地点Ｇの想定最高水位ＨＷＬより高くなり且つ当該地点Ｇの想定最低水位ＬＷＬより低い部分又は地盤高さＥの部分に通水口１８を有するように構築した通水性の外郭１０，外郭１０の内側底部にその地点Ｇの想定最低水位より低い窪地又は地盤高さＥより低い窪地２２を有し且つ通水口１８から供給される水流条件を調整するように設けた通水性の底部構造体２０，及び底部構造体２０上に乾燥ミズゴケ又はその他の植物遺体Ｂを少なくとも一部分にその地点Ｇの想定最高水位ＨＷＬより高い部位３１が形成されるように積み上げた生育基盤３０を備え，生育基盤３０の表面上に生きたミズゴケＰを植え込むことによりミズゴケ湿原を再生してなるものである。
【００１３】
好ましい実施例では，外郭１０及び底部構造体２０を，図１に示すような石積み構造，図２に示すようなコンクリート構造，木組み構造，樹脂構造，金属構造，又はこれらの組み合わせ構造とする。望ましくは，図３に示すように，外郭１０の下端を地盤Ｅ中に埋設する。
【００１４】
更に好ましい実施例では，図４に示すように，外郭１０を地点Ｇの想定最高水位ＨＷＬより高い周囲壁１５とその内側底壁１６とからなる容器構造とし，底部構造体２０を容器底壁１６上に設けるか又は容器底壁１６と一体成形する。図２及び図５に示すように，必要に応じて，外郭１０の内側地盤Ｅ又は容器底壁１６と底部構造体２０との間には遮水層２９を設けることができる。
【００１５】
更に望ましい実施例では，図６に示すように，生育基盤３０を，底部構造体２０上に植物遺体Ｂを地点Ｇの想定最低水位ＬＷＬより低い部位３２とその地点Ｇの想定最高水位ＨＷＬより高い部位３１とが形成されるように積み上げた傾斜表面付き生育基盤とする。
【発明の効果】
【００１６】
本発明によるミズゴケ湿原再生方法及び再生基盤は，自然環境下で水流が継続的に供給される地点Ｇの周囲地盤Ｅにその地点Ｇの想定最高水位ＨＷＬより高くなり且つ当該地点Ｇの想定最低水位ＬＷＬより低い部分又は地盤高さＥの部分に通水口１８を有するように通水性の外郭１０を構築し，その外郭１０の内側に地点Ｇの想定最低水位ＬＷＬより低い窪地又は地盤高さＥより低い窪地２２を有し且つ通水口１８から供給される水流条件を調整するように通水性の底部構造体２０を設け，その底部構造体２０上に乾燥ミズゴケ又はその他の植物遺体Ｂを少なくとも一部分にその地点Ｇの想定最高水位ＨＷＬより高い部位３１が形成されるように積み上げて生育基盤３０とし，その生育基盤３０の表面上に生きたミズゴケ（生長ミズゴケ）Ｐを植え込んでミズゴケ湿原を再生するので，次の効果を奏する。
【００１７】
（イ）生育基盤３０の周囲に想定最高水位ＨＷＬより高い通水性の外郭１０を構築することにより，増水時等にも水が越流して流れ込むおそれをなくし，生長ミズゴケＰが基盤３０から流れ出し又は土砂等に覆われることを防止でき，増水後にミズゴケＰを人為的に洗い流す手間を省くことができる。
（ロ）また，外郭１０の内側に想定最低水位ＬＷＬより低い窪地２２を有する通水性の底部構造体２０を設け，その底部構造体２０上に生育基盤３０を配置することにより，基盤３０に対する水の供給遮断を防止し，灌水作業等の手間を省くことができる。
（ハ）通水性の外郭１０及び底部構造体２０を介して生育基盤３０に水を供給することにより，それらの通水効率（フィルター効果）によって生育基盤３０に供給される水流を十分に緩やかなものとし，生育基盤３０の内部にミズゴケの生育に適した水流条件を作り出すことができる。
【００１８】
（ニ）通水性の外郭１０及び底部構造体２０によってミズゴケの生育に適した生育基盤３０を作り出し，増水や雨水時にも生育基盤３０の生息条件を安定的に維持できるので，自然環境下でも人手をかけずに生育基盤３０の全体を覆うミズゴケ湿原を再生することができる。
（ホ）また，人手をかけずに土砂の流入を防止し，生育基盤３０を大型の草本植物や木本植物が生育しにくい貧栄養状態に保つことができるので，植生遷移や草原化を防ぎながら生育基盤３０上の再生したミズゴケ湿原を長期間安定的に維持することができる。
（ヘ）石積み構造だけでなく，周囲の水流状況や気候等に応じて外郭１０及び底部構造体２０をコンクリート構造（例えばポーラスコンクリート構造），木組み構造，樹脂構造，金属構造等とすることが可能であり，様々な自然環境下において水流作用で浸食されにくいミズゴケ湿原を再生することができる。
【図面の簡単な説明】
【００１９】
以下，添付図面を参照して本発明を実施するための形態及び実施例を説明する。
【図１】石積み構造を利用した本発明のミズゴケ湿地再生基盤の一実施例の説明図である。
【図２】コンクリート構造を利用した本発明のミズゴケ湿地再生基盤の他の実施例の説明図である。
【図３】コンクリート構造を利用した本発明のミズゴケ湿地再生基盤の更に他の実施例の説明図である。
【図４】容器構造を利用した本発明のミズゴケ湿地再生基盤の他の実施例の説明図である。
【図５】傾斜地盤Ｅに設けた本発明のミズゴケ湿地再生基盤の他の実施例の説明図である。
【図６】水位変動が不明な地盤Ｅに設けた本発明のミズゴケ湿地再生基盤の他の実施例の説明図である。
【図７】従来のミズゴケ湿地の再生方法の一例の説明図である。
【発明を実施するための形態】
【００２０】
図１は，例えばダム等の開発現場にミズゴケ湿原が存在する場合に，周辺の自然環境下において水が継続的に供給される地点Ｇを選択し，その地点Ｇにミズゴケ湿原再生基盤１ａを造成して元のミズゴケ湿原を移植・再生する方法の実施例を示す。ミズゴケ湿原を再生すべき地点Ｇ（以下，再生地点Ｇという）の一例は，例えば開発現場の周辺の湧水地，河川，水路，池沼等である。好ましくは，元のミズゴケ湿原の内部の地下水の水位・流速等を調査し，同程度の水位・流速等が得られる再生地点Ｇを選択する。以下に説明するように，本発明の再生基盤１は後述する外郭１０及び底部構造体２０によって基盤内部の地下水の流速・水位等を調整することが可能であり，元の湿原よりも流れの強い河川，水路，斜面の遊水池等を利用して湿原を再生することができる。
【００２１】
図示例のミズゴケ湿原再生基盤１ａは，再生地点Ｇの周囲の地盤Ｅ上に構築した通水性の外郭１０と，外郭１０の内側地盤Ｅ上に設けた通水性の底部構造体２０と，底部構造体２０の上に乾燥ミズゴケその他の植物遺体Ｂを積み上げて形成した生育基盤３０とを有する。図１（Ａ）は，外郭１０及び底部構造体２０を共に岩石，礫等を積み上げた石積み構造として一体的に構築した再生基盤１ａを示しており，図１（Ａ）の断面図においてハッチングを設けた石積み構造が外郭１０に相当し，その内側のハッチングのない石積み構造が底部構造体２０に相当する。図１（Ｂ）は外郭１０の平面形状が円形であることを示しているが，外郭１０の平面形状にとくに制限はなく，再生地点Ｇの環境に応じて楕円形，方形等，多角形等の任意の形状とすることができる。
【００２２】
ミズゴケ再生基盤１ａの外郭１０は，再生地点Ｇにおける水位が最高になった場合でも内側の生育基盤３０に水が越流しないように，地点Ｇの想定最高水位ＨＷＬより高くなるように構築する。例えば，図１（Ｂ）の平面形状の周縁全周にわたって頂端を想定最高水位ＨＷＬより高くする。また，最低水位になった場合でも内側の生育基盤３０に水が供給できるように，少なくとも地点Ｇの想定最低水位ＬＷＬより低い部分に１つ以上の通水口１８を設ける。好ましくは，供給された水が内側に滞留せず排水できるように，必要に応じて外郭１０に給水用及び排水用の複数の通水口１８を設ける。もっとも，図示例のように石積み構造であるときは岩石又は礫の隙間から水が進入するので外郭１０に通水口１８をとくに設ける必要はなく，十分な通水性が保てるならば岩石又は礫の径の大きさにもとくに制限はない。大径の岩石又は礫を用いる場合は，外郭１０の内側に積み上げる植物遺体Ｂが流出しないように，大径の岩石又は礫の隙間に小さな径の岩礫を設置することが望ましい。
【００２３】
外郭１０は，石積み構造に限らず，図２に示すようなコンクリート構造とすることができる。図２のミズゴケ湿原再生基盤１ｂは，コンクリート構造の外郭１０と，石積み構造の底部構造体２０とを組み合わせたものである。或いは，再生地点Ｇの環境に応じて十分な耐浸食性が得られる対策を施すことができれば，外郭１０を木組み構造，樹脂構造，金属構造とし，又はこれらと石積み構造，コンクリート構造との組み合わせとすることも可能である。石積み構造以外の外郭１０には，最低水位ＬＷＬよりも低い部位に少なくとも１つ，好ましくは複数の通水口１８を設ける。もっとも，外郭１０の全体を通水機能のあるポーラスコンクリート（多孔質コンクリート）製とするか，或いは最低水位ＬＷＬよりも低い部位のみを通水性のあるポーラスコンクリートで構成すれば，コンクリート構造であっても外郭１０に通水口１８を設ける必要はなくなる。
【００２４】
コンクリート構造の外郭１０は，浸食を受けやすい河川内，水路内，斜面の湧水地（図４参照）又はこれらに接する部分に再生基盤１を造成する場合に有効である。好ましくは，図２のように外郭１０を地盤Ｅに固定するアンカー１４を設け，外郭１０の耐浸食性を高める。コンクリート構造でなくとも，石積み構造，木組み構造，樹脂構造，金属構造の外郭１０をアンカー１４によって地盤Ｅに固定することは，再生基盤１の耐浸食性を高め，内側の生育基盤３０の安定化を図るために有効である。石積み構造の対浸食性は，例えば水流の当たる場所に重量のある石を配置するか，石をモルタル等で固定することにより高めることも可能である。
【００２５】
外郭１０の内側に設ける底部構造体２０には，図１（Ａ）及び図２に示すように，その上に積み上げる生育基盤３０の底部が常に水に浸るように，再生地点Ｇの想定最低水位ＬＷＬより低い窪地２２を設ける。生育基盤３０は，底部構造体２０の上部に乾燥ミズゴケその他の植物遺体Ｂを積み上げることにより形成する。生育基盤３０は生きたミズゴケ（生長ミズゴケ）Ｐを植え込む場所であり，例えば図７の場合と同様に乾燥ミズゴケＡの集合物を底部構造体２０上に積み上げて生育基盤３０とすることができる。或いは，元のミズゴケ湿原から植物遺体Ａである地中の泥炭を掘り出し，その泥炭を再生地点Ｇの底部構造体２０上に積み上げて生育基盤３０としてもよい。そのような泥炭も，乾燥ミズゴケと同様に非常に優れた揚水力によって水を吸い上げることができる。
【００２６】
図１（Ａ）及び図２は石積み構造の底部構造体２０を示しており，外郭１０の内側の底面及び側面に乾燥ミズゴケＡ又は植物遺体Ｂが流出しない程度の粒径の岩石又は礫を積み上げて底部構造体２０としたものである。底部構造体２０を石積み構造とすることにより，とくに通水口１８等を設けることなく十分な通水性を確保することができる。ただし，外郭１０の場合と同様に，底部構造体２０も石積み構造に限られるものではなく，ポーラスコンクリート製又は適当な通水口１８を設けたコンクリート構造，又は適当な通水口１８を設けた木組み構造，樹脂構造，金属構造とすることができる。必要に応じて，図２に示すように，外郭１０の内側地盤Ｅと底部構造体２０との間に遮水層２９を設けることができる。
【００２７】
また，生長ミズゴケＰを植え込む生育基盤３０は，最低水位ＬＷＬの時でも少なくとも底部が水に浸ることが必要であり，かつ，想定される最高水位ＨＷＬよりも高い部位３１を設けることが望ましい。その最高水位ＨＷＬよりも高い部位３１に生長ミズゴケＰを植え込むことで，生長ミズゴケＰは生育基盤３０の揚水力によって底部構造体２０から常に水を供給され，かつ，最高水位ＨＷＬの時でも生長ミズゴケＰの水没を避けることができる。ただし，生長ミズゴケＰが短時間水没して生育に問題がないことが知られており，生長ミズゴケＰを植え込む部位は最高水位ＨＷＬよりも高い部位３１に限るわけではない。
【００２８】
外郭１０及び底部構造体２０を通水性とすることにより，生育基盤３０の内部に少なくとも再生地点Ｇの最低水位ＬＷＬより高い水位を確保できる。ただし，再生地点Ｇで供給される水が少ない場合は，生育基盤３０の内部の水位が十分に確保できず，最高水位ＨＷＬよりも高い部位３１に植え込んだ生長ミズゴケＰまで十分な水を吸い上げることが難しい可能性がある。このように生育基盤３０の内部を流れる水位が不足する場合は，例えば図３のミズゴケ湿原再生基盤１ｂに示すように，外郭１０の下端を地盤Ｅ中に埋設することにより生育基盤３０の内部の水位を上げることができる。図３は，生育基盤３０の水位が元のミズゴケ湿原の地下水と同程度となるように，外郭１０を所定深さだけ地盤Ｅ中に埋め込み，再生地点Ｇの想定最低水位ＬＷＬに対する生育基盤３０の位置を鉛直方向に調整したものである。
【００２９】
また，通水性の外郭１０及び底部構造体２０は，生育基盤３０の内部の流速を調整する機能を果たすこともできる。すなわち，再生地点Ｇに供給される水流に応じて，外郭１０及び底部構造体２０に与える通水流量を調整することにより，例えば再生地点Ｇの水流が元の湿原よりも流れの強い河川，水路，斜面の遊水池等であっても，外郭１０及び底部構造体２０の通水効率によって生育基盤３０の内部を流れる水流を十分に緩やかなものとし，生育基盤３０の内部にミズゴケの生育に適した元の湿原と同様の水流条件を作り出すことができる。更に，通水性の外郭１０及び底部構造体２０はある程度フィルター効果を有しており，生息基盤３０に土砂が流入することを防止し，生育基盤３０を貧栄養状態に保つ機能も果たすことも期待できる。
【００３０】
本発明のミズゴケ湿原再生基盤１は，想定最高水位ＨＷＬより高い通水性の外郭１０を有するので，増水時等にも水が越流して流れ込むおそれがなく，生長ミズゴケＰが基盤３０から流れ出し又は土砂等に覆われることを防止できる。また，想定最低水位ＬＷＬより低い窪地２２を有する通水性の底部構造体２０上に生育基盤３０を配置するので，最高水位ＨＷＬの時でも生育基盤３０に対する水の供給を維持することができる。更に，通水性の外郭１０及び底部構造体２０を介して生育基盤３０に水を供給することにより，生育基盤３０の内部の流速・水位等を元のミズゴケ湿原と同様に調整することができ，生育基盤３０の内部にミズゴケの生育に適した水流条件を作り出すことができる。
【００３１】
こうして本発明の目的である「自然環境下でミズゴケの生育に適した条件を作り出して維持できるミズゴケ湿原再生方法及び再生基盤」を提供することができる。
【実施例１】
【００３２】
図４は，外郭１０として，コンクリート製，樹脂製，木製，又は金属製の容器を用いた本発明のミズゴケ湿原再生基盤１ｃの実施例を示す。図示例の再生基盤１ｃの外郭１０は，地点Ｇの想定最高水位ＨＷＬより高い周囲壁１５とその内側底壁１６とからなる容器構造を用いたものであり，その容器の周囲壁１５の頂端を周縁全周にわたって想定最高水位ＨＷＬより高くし，想定最低水位ＬＷＬよりも低い部位に少なくとも１つ，好ましくは複数の通水口１８を設けたものである。容器構造の通水口１８は，浮力や水流によって基盤１ｃが浮き上がることを防ぐためにも必要である。ただし，容器自体を通水性のあるポーラスコンクリート製とするか，又は容器の想定最低水位ＬＷＬよりも低い部位をポーラスコンクリート製とすれば，通水口１８を設けなくても足りる。
【００３３】
図示例の容器内部の底面及び側面には，生育基盤３０の乾燥ミズゴケＡ又は植物遺体Ｂが流出しない程度の粒径の岩石又は礫を積み上げて底部構造体２０としている。底部構造体２０は，浮力や水流によって外郭１０（容器）が移動しないように地盤Ｅに固定する機能も果たす。底部構造体２０だけでは固定力が不足する場合は，必要に応じて外郭１０（容器）にアンカー１４（図２参照）を含めることができる。或いは，容器内部の底面及び側面に，例えばポーラスコンクリート製の底部構造体２０を一体成形することも可能である。
【００３４】
図４のように容器構造の外郭１０を用いることにより，例えば工場等で製造した外郭１０を再生地点Ｇに持ち込んでミズゴケ再生基盤１ｃを造成することができ，再生基盤の造成作業の迅速化，効率化を図ることが期待できる。底部構造体２０が一体成形された容器を用いることにより，造成作業の一層の迅速化，効率化を図ることもできる。また，外郭１０に底壁１６を含めることにより，外郭１０の内側地盤Ｅと底部構造体２０との間に遮水層２９（図２参照）を設ける手間も必要もなくなり，地盤Ｅの影響を受けにくい再生基盤１ｃを容易に造成することが可能となる。
【実施例２】
【００３５】
図５は，常時水流のある傾斜地盤Ｅ上の再生地点Ｇに造成した本発明のミズゴケ湿原再生基盤１ｄの実施例を示す。図示例の再生基盤１ｄは，再生地点Ｇの周囲の傾斜地盤Ｅに構築した外郭１０を有し，水流等で移動しないように外郭１０をアンカー１４で固定している。外郭１０の斜面上部の常時水流が当たる外縁部の最下部に水を取り入れる通水口（給水口）１８を設け，斜面下部の外縁部に水を排出する通水口（排水口）１９を設けている。排水用の通水口１９は，給水用の通水口１８とよりも地盤面からの比高が高く，給水用の通水口１８とほぼ水平となる高さに設けることが望ましい。
【００３６】
外郭１０の内側には，生育基盤３０の乾燥ミズゴケＡ又は植物遺体Ｂが流出しない程度の粒径の岩石又は礫を積み上げて底部構造体２０とする。外郭１０の内側の斜面下部側に有る程度の貯水をする必要があるので，外郭１０の内側地盤Ｅと底部構造体２０との間には遮水層２９を設けることが望ましい。底部構造体２０には想定最低水位ＬＷＬより低い窪地２２を設け，底部構造体２０上に積み上げる生息基盤３０の底部を常に水に浸る構造とする。図５に示すように，本発明によれば，従来あまり利用されていなかった湧水のある傾斜地盤Ｅ等を利用してミズゴケ再生基盤１ｃを造成することが可能であり，湧水のある傾斜地等にミズゴケ湿原を再生することができる。
【実施例３】
【００３７】
図６は，水位変動の範囲が不明であるような地盤Ｅ上の再生地点Ｇに造成した本発明のミズゴケ湿原再生基盤１ｅの実施例を示す。図示例の再生基盤１ｅは，図２と同様の外郭１０を有するが，外郭１０の内側に設ける底部構造体２０には，想定最低水位ＬＷＬより低い窪地２２を含めると共に，その窪地２２から想定最高水位ＨＷＬの近くまで上昇するような傾斜面を形成する。そして，底部構造体２０上に植物遺体Ｂを想定最低水位ＬＷＬより低い部位３２とその地点Ｇの想定最高水位ＨＷＬより高い部位３１とが形成されるように積み上げることにより，傾斜表面付き生育基盤３０を形成する。
【００３８】
図示例の生育基盤３０において，傾斜表面の水分状態は内側地盤Ｅ（すなわち地下水の水位）からの比高に応じて異なるので，生育基盤３０の表面にある程度の幅で異なる水分状態を作り出すことができる。このような水分状態の異なる生育基盤３０の傾斜表面上に生きたミズゴケ（生長ミズゴケ）Ｐを植え込むことで，水位変動の範囲が不明であっても，少なくとも一部分においてミズゴケＰの生育に適した水分条件が得られ，その部分を中心としてミズゴケを生長・増殖させて湿原を再生することができる。
【符号の説明】
【００３９】
１…ミズゴケ湿原再生基盤
１０…外郭                          １１…石積み
１２…周囲壁                        １４…アンカー
１５…容器（周囲側壁）              １６…容器内側底壁
１８，１９…通水口
２０…底部構造体                    ２１…石積み
２２…窪地                          ２９…遮水層
３０…生育基盤                      ３１…高部位
３２…低部位
４０…ミズゴケ栽培用の人工圃場
４１…帯水部                        ４１ａ…底部
４１ｂ…側部                        ４１ｃ…通水口
４２…有水部                        ４３…帯水材（砂礫）
４３ａ…帯水材の表面                ４３ｂ…穴
４５…ミズゴケ栽培基                
Ａ…乾燥ミズゴケ                    Ｂ…植物遺体
Ｅ…地盤                            Ｇ…湿原再生地点
Ｐ…ミズゴケ                        Ｐａ…ミズゴケの茎部
Ｗ…水                              ＨＷＬ…最高水位
ＬＷＬ…最低水位                    ＷＬ…水位
【図１】
0006532278.tif 000002
【図２】
0006532278.tif 000003
【図３】
0006532278.tif 000004
【図４】
0006532278.tif 000005
【図５】
0006532278.tif 000006
【図６】
0006532278.tif 000007
【図７】
0006532278.tif 000008